(57)【要約】【課題】本発明は電子暗号錠入力装置及び対応の入力方法を提供する。本発明はさらに上記電子暗号錠入力装置を適用する門錠の取っ手とケースや鞄暗号錠のパネルを提供する。【解決手段】  本発明の信号装置２は暗号入力装置を発生し、この情報を二組の電気パルス信号１１，１２に転換するものであり、計測制御装置３は電気パルス信号１１と１２を計測し、それを暗号要素を含めた文字列に転換するように、このパルス信号の順番について判断、演算し、且つ現在入力された暗号要素の確認及びすべての暗号要素が入力されたかの判定を行うものであり、確認装置５は暗号要素が入力された確認信号を発生するものであり；表示装置４はスクロールリフレッシュの方式で上記文字列とプリセットの提示情報を表示するものである。上記電子暗号錠入力装置とその応用は、操作部品は電気回路と接触しないから、信頼性と安全保護性はともに大幅に向上できる。また、暗号入力操作と暗号変更操作も簡単で直観である。【選択図】      図１
2007508473.tif 000002
【特許請求の範囲】
【請求項１】
電子暗号錠入力装置であって、
暗号入力情報を生成し、その情報を二組の電気パルス信号に転換する信号装置と、
上記信号装置と接続され、信号装置が出力される電気パルス信号を計測し、このパルス信号順番を判断し、相応の演算を行う計測制御装置であって、上記信号を暗号要素を含めた文字列に転換し、現在入力された暗号要素が正しいかを判断し、すべての暗号要素が入力されたかを判断する計測制御装置と、
上述計測制御装置に接続され、暗号要素が入力された確認信号を生成し、現在入力された暗号要素を確認することを示す確認装置と、
上記計測制御装置に接続され、その計測制御装置の駆動でスクロールリフレッシュの方式で上述文字列を表示したり、表示メッセージをあらかじめ表示する表示装置とを備えることを特徴とする電子暗号錠入力装置。
【請求項２】
上記確認装置はスイッチング装置であり、生成された電気信号をクローズし、上記計測制御装置に表示装置が表示している暗号要素を入力暗号の一部と確認させることを特徴とする請求項１に記載の電子暗号錠入力装置。
【請求項３】
上述確認装置が信号を生成し、所定計時周期を開始させるたびに、上記計測制御装置は当時間周期が終了するかを判断し、時間周期が終了すると、入力がタイムオフと判断することを特徴とする請求項１に記載の電子暗号錠入力装置。
【請求項４】
上述表示装置が表示するプリセット情報は符号で表示し、そのうち、錠形の符号は施錠開錠状態を示し、時計符号は定時開錠か遅延開錠を示し、鍵符号は暗号設定状態を示し、電池符号はローバッテリーを示し、その他のドット符号は各部分の暗号の順番確認状態を示すことを特徴とする請求項１又は２に記載の電子暗号錠入力装置。
【請求項５】
上記信号装置にパネルと、このパネルに取り付けられる自由回転のダイヤル盤と、ダイヤル盤中心に固定される伝動軸と、この伝動軸に当てはめられる駆動歯車と、この歯車と噛み合う被駆動歯車と、この被駆動歯車と同じ軸に接続される回転エンコーダーとが備えられ、
上記計測制御装置はプログラマブルなマイクロコントローラであり、
上記表示装置は情報表示スクリーン、
上記スイッチング装置は光電スイッチであり、
その内、上記マイクロコントローラ、エンコーダー、情報表示スクリーンと光電スイッチは同一の配線板に設置され、この配線板は上述のパネルに取り付けられ、上述のマイクロコントローラはそれぞれ上述のエンコーダー、情報表示スクリーンと光電スイッチと電気接続されることを特徴とする請求項２に記載の電子暗号錠入力装置。
【請求項６】
上述のダイヤル盤の外周は円周形のスカートであり、上述の光電スイッチの位置は上述のダイヤル盤スカートと対応し、上述ダイヤル盤が押圧されると、上述スカートは光電スイッチの光を遮断することで、上述の光電スイッチが電気信号を発生することを特徴とする請求項５に記載の電子暗号錠入力装置。
【請求項７】
上述パネルの上下部は隆起の耳縁形状であり、且つ、上記パネルに、
上記耳縁の裏側に設置され且つ指の形と一致するグルーブと、
上述情報表示スクリーンの形やサイズと対応し、表示情報が有効的に見られるように、上述情報表示スクリーンとチルトを形成する表示窓と、
上述パネルの表示窓側に設置され、応急鍵を挿入するためのガイド穴とが備えられることを特徴とする請求項５に記載の電子暗号錠入力装置。
【請求項８】
上述ダイヤル盤伝動軸が設けられる軸方向の内孔に、さらにリセットバネが備えられることを特徴とする請求項５に記載の電子暗号錠入力装置。
【請求項９】
上記駆動歯車内端面に同心円平面歯溝が設けられ、平面歯溝と上記パネル対応位置にスチールボールとバネとが装置されるビア穴が設けられ、このスチールボールがバネに付勢されると、上記駆動歯車の同心円平面歯溝と接触し、対応することを特徴とする請求項５に記載の電子暗号錠入力装置。
【請求項１０】
上記信号装置はローラと、ローラと同軸のエンコーダーと、ローラを支持するためのフレキシブルブラケットとを備えるローラ装置であり、
上記計測制御装置はプログラマブルマイクロコントローラであり、
表示装置は情報表示スクリーンであり、
スイッチング装置はローラ軸引きの下に設置されるマクロスイッチであり、
上記マイクロコントローラはそれぞれ上記エンコーダー、情報表示スクリーン及びマイクロスイッチと電気接続されることを特徴とする請求項２に記載の電子暗号錠入力装置。
【請求項１１】
上記情報表示スクリーンは上記ローラの回転方向と角度に従い、昇順か降順で１桁か２桁の数字を繰り返しスクロールし表示、
上記マイクロスイッチは、ローラが押圧されると、上記軸引きに駆動され、上記情報表示スクリーンの表示が中止し、現在表示される数字を暗号の一部として確認し、
押圧がされないと、上記フレキシブルブラケットは上記ローラをリセットすることを特徴とする請求項１０に記載の電子暗号錠入力装置。
【請求項１２】
中空の暗号錠取っ手であって、
上記取っ手の中空のチャンバに固定される請求項１０に記載のローラ式電子暗号錠入力装置と、
上記ローラと対応し、ローラを回したり押圧したりできる取っ手表面に設置される第一窓口と、
上記情報表示スクリーンと対応し、表示内容を確認するための取っ手表面に設置される第二窓口と、
内部にリードを通すためのビア穴が設けられる取っ手内部に固定される回転軸とが備えられ、
上記電子暗号錠入力装置はリードを介して、錠芯装置か門内ほかの位置に取り付けられる暗号錠暗号識別装置及び電源と接続されることを特徴とする暗号錠取っ手。
【請求項１３】
中空暗号錠取っ手であって、
中に固定される回転軸を備え、この回転軸内にリードを通すためのビア穴が設置される取っ手本体と、
請求項１０のローラ式電子暗号錠入力装置が設置され、そして上記ローラに対応し、このローラを回したり、押圧したりできる第一窓口と、上記情報表示スクリーンと対応し、表示内容を確認できる第二窓口とが設置されるパネルと
上記第二窓口の配置される平面に設置される透明窓カバーとを備え、
取っ手の正表面にサイズと形状が上記パネルと合わせ、このパネルを中に埋めるためのくぼみエリアがあり、
上記暗号錠取っ手はリードを介して、錠芯装置か門内ほかの位置に取り付けられる暗号錠暗号識別装置及び電源と接続されることを特徴とする暗号錠取っ手。
【請求項１４】
暗号錠取っ手であって、
取っ手と、
請求項１０に記載の電子暗号錠入力装置のマイクロコントローラと情報表示スクリーンとが設置され、正面に、上記情報表示スクリーンと対応し、表示内容を確認するための第二窓口が設置されている取っ手ベースと
請求項１０に記載の電子暗号錠入力装置のローラ装置が設置され、表面に、サイズと位置が上記ローラとあわせ、ローラを回したり、押圧したりできる第一窓口が設置されているパネルとを備え、
上記取っ手は中空であり、このパネルを埋めるために、正表面に上記パネルのサイズと形状と合わせる中空チャンバが設置され、
上記ローラ式電子暗号錠入力装置はリードを介して、錠芯装置か門内ほかの位置に取り付けられる暗号錠暗号識別装置及び電源と接続されることを特徴とする暗号錠取っ手。
【請求項１５】
ケース外表面に固定されるケースやカバン用の暗号錠パネルであって、
このパネルに取り付けられる請求項１０に記載電子暗号錠入力装置と
上記パネル表面に設けられ、上記ローラのサイズと位置と合わせることにより、ローラを回したり、押圧したりできる第一窓口と、
上記パネルの表面に設けられ、上記情報表示スクリーンのサイズと形状と合わせることにより、表示内容を確認する第二窓口とを備え、
上記電子暗号錠入力装置はリードを介して、ケース内の暗号錠暗号識別装置及び電源と接続されることを特徴とするケースやカバン用の暗号錠パネル。
【請求項１６】
電子暗号錠用の暗号入力方法であって、
信号装置を介してダイヤル盤かローラ回転の情報を取得し、二組の電気パルス信号に転向する手順と、
計測制御装置により上記二組の電気パルス信号を計測、判定と計算し、暗号組成要素シーケンスに転換する手順と、
表示装置により、暗号要素を含めた文字列とプリセット情報を表示し、暗号要素を含めた文字列を表示するスクロールリフレッシュスピードレートは上記二組電気パルス信号周波数の関数であり、暗号要素シーケンスはダイヤル盤もしくはローラの回転方向により、昇順か降順でスクロールリフレッシュする手順と、
現在入力された暗号要素を確認する時、確認装置により暗号要素が入力される確認信号を生成する手順と、
計測制御装置により電気信号を検出して、現在入力される暗号要素を確認する手順と、
計測制御装置により、すべての暗号要素が入力されたかをさらに判定する手順を備えることを特徴とする電子暗号錠用の暗号入力方法。
【請求項１７】
上記暗号入力方法にさらに上記確認装置が信号を発生すると、所定の計時周期を開始させ、そして計測制御装置は計時周期は終了したかを判断し、計時周期が終了した場合、入力がタイムオフと判断することを特徴とする請求項１６に記載の暗号入力方法。
【発明の詳細な説明】
【技術分野】
【０００１】
本発明は電子暗号錠に関し、特に電子暗号錠の入力装置、電子暗号錠の入力方法及びその電子暗号錠入力装置の応用に関するものである。
【背景技術】
【０００２】
従来の機械ダイヤル盤式暗号錠は、暗号錠内部の機械連動手段により暗号の解除と設置を行うものである。このような暗号錠の暗号解除と設置をするには、高精度に位置決めする必要があり、特に暗号を変更することは複雑であり、錠を分解しなければならない上、トレーニングを受けた専門者ではないと、暗号を設置することは非常に困難である。また、この方法の暗号量は機械連動手段内部の転向輪数による。したがって、多い暗号量を取得するには、転向輪の数を増加しなければならないから、構成の体積と複雑性が増大することになる。故に、操作が便利で、コンパクトの電子暗号錠が益々注目を集めるようになってきている。
【０００３】
特許文献１において、ステップモータと組み合わせるダイヤル盤が設置され、ダイヤル盤を回すことで、ステップモータが電気信号を発信し、整形回路を通じて、マイコンに信号を出力しカウントしてから、表示装置により表示される電子デジタル錠が掲示されている。ダイヤル盤の回転が停止する時、表示される数字を暗号組み合わせの一部として入力する。ステップモータの構成が複雑で、価格が高いことに加え、波形整形回路などの周辺回路が必要であるので、このような電子暗号錠の製造コストも高いほうである。
【０００４】
なお、特許文献２と特許文献３にもそれぞれダイヤル盤式電子暗号錠の入力装置が掲示され、似ている構成を持っている。この暗号錠入力装置に一つのダイヤル盤と、ダイヤル盤に設置され、ダイヤル盤と一同に回転する接触器と、この接触器の転位起動に対応し、円周形状もしくは半円周形状分布であり、且つ配線板と接続される１０個の接点とを備え、ダイヤル盤をある目盛位置まで回転する時、軸方向にダイヤル盤を押圧することで、接触器がその目盛位置に対応した接点との間に電気信号を発生する。それぞれの接点が発生した電気信号が異なる値であり、この値は暗号の一つの要素として確認される。
【０００５】
特許文献４において、ダイヤル盤に固定される導電シートと、この導電シートと接触される円周上断続分布である二組の接点群と、接点群と電気接続され、電気を提供する導電環とを備えるダイヤル盤式電子暗号錠の入力装置が掲示されている。ダイヤル盤が回転する時、導電シートが上述二組の接点群を断続に接触し、接続することで、この二組の接点群からのリードが二組の電気パルス信号を取得し、この信号を処理してから暗号要素として表示する。この技術案において、暗号の確認装置はダイヤル盤に設置されるボタンスイッチである。
【０００６】
その他、特許文献５には、数字キーボードを錠の取っ手に取り付け、このキーボードを介して暗号を入力する暗号錠の取っ手が掲示される。特許文献６には、ケースや鞄向けの機械式暗号錠が掲示される。
【０００７】
【特許文献１】米国特許第６４２０９５８号明細書
【０００８】
【特許文献２】米国特許第４７４５７８４号明細書
【０００９】
【特許文献３】米国特許第４８９９５６２号明細書
【００１０】
【特許文献４】特開２０００−７３６３２号公報
【００１１】
【特許文献５】米国特許第６３７８３４４号明細書
【００１２】
【特許文献６】中国特許第ＺＬ００２６１８６５．６号明細書
【発明の開示】
【発明が解決しようとする課題】
【００１３】
上記三種類の電子暗号錠の入力装置はいずれも電気接触方式により直接暗号を代表する電気信号を生成するから、接触信頼性に問題がある。特に、特許文献４による電子暗号錠の入力装置において、摩擦接触による摩耗問題も存在する。また、暗号を代表する電気信号が隔離もされず、直接導入されるものであるので、セキュリティ性も欠けている。
【００１４】
また、従来の暗号門錠の多くは数字式キーボードであるので、普通キーボードは門錠取っ手の錠主体パネルに取り付けられる。特許文献５に掲示される暗号錠の取っ手は、キーボードの平面サイズが大きいから、その取っ手の体積も普通の取っ手よりずっと大きい。この取っ手を使うと、不快適感がある。
【００１５】
従来のケースや鞄などに使う暗号錠の多くは機械ロール式で、上述のように、機械式の暗号錠は構成が複雑であり、使用上も不便である。特許文献６に掲示されるケースや鞄向けの機械式暗号錠において、四つの番号輪があり、新しい構成を採用して、暗号変更操作が簡単化できたとしても、暗号量が少ない、暗号変更に複雑な機械操作が必要である欠点がある。
【００１６】
本発明はかかる事情に鑑みてなされたもので、信頼性の高い、安全保護性が優れ、そして暗号入力と設置が簡単で便利な電子暗号錠の入力装置を提供することを目的とする。
本発明はもう一つの目的はこの電子暗号錠入力装置を備え、構成がコンパクトで、暗号量が大きく、体積が小さく、暗号入力操作が直観で便利な暗号錠取っ手とケースや鞄の暗号錠パネルを提供することである。
【００１７】
本発明のもう一つの目的は確実で、安全且つ便利に暗号を入力できる電子暗号錠の暗号入力方法を提供することである。
【課題を解決するための手段】
【００１８】
本発明の第１の態様は電子暗号錠入力装置であって、暗号入力情報を生成し、その情報を二組の電気パルス信号に転換する信号装置と、上記信号装置と接続され、信号装置が出力される電気パルス信号を計測し、このパルス信号順番を判断し、相応の演算を行う計測制御装置であって、上記信号を暗号要素を含めた文字列に転換し、入力された暗号要素が正しいかを判断し、すべての暗号要素が入力されたかを判断する計測制御装置と、上述計測制御装置に接続され、暗号要素が入力された確認信号を生成し、現在入力された暗号要素を確認することを示す確認装置と、上記計測制御装置に接続され、その計測制御装置の駆動でスクロールリフレッシュの方式で上述文字列を表示したり、表示メッセージをあらかじめ表示する表示装置とを備える電子暗号錠入力装置を提供する。
【００１９】
本発明の電子暗号錠入力装置において、好ましくは上記確認装置はスイッチング装置であり、生成された電気信号をクローズし、上記計測制御装置に表示装置が表示している暗号要素を入力暗号の一部と確認させる。
本発明の電子暗号錠入力装置において、好ましくは計測制御装置は上述スイッチング装置が信号を生成し、所定時間周期を開始させるたびに、当時間周期が終了するかを判断し、時間周期が終了すると、入力がタイムオフと判断する。
【００２０】
上述表示装置が表示するプリセット情報は符号で表示し、そのうち、錠形の符号は施錠開錠状態を示し、時計符号は定時開錠か遅延開錠を示し、鍵符号は暗号設定状態を示し、電池符号はローバッテリーを示し、その他のドット符号は各部分の暗号の順番確認状態を示す。
【００２１】
上述電子暗号錠入力装置はダイヤル盤式電子暗号錠入力装置でもよい。信号装置にパネルと、このパネルに取り付けられる自由回転のダイヤル盤と、ダイヤル盤中心に固定される伝動軸と、この伝動軸に当てはめられる駆動歯車と、この歯車と噛み合う被駆動歯車と、この被駆動歯車と同じ軸に接続される回転エンコーダーとが備えられる。計測制御装置はプログラマブルのマイクロコントローラであり、表示装置は情報表示スクリーンであり、スイッチング装置は光電スイッチである。このマイクロコントローラ、エンコーダー、情報表示スクリーンと光電スイッチは同一の配線板に設置され、この配線板は上述のパネルに取り付けられ、上述のマイクロコントローラはそれぞれ上述のエンコーダー、情報表示スクリーンと光電スイッチと電気接続される。
【００２２】
好ましくは、上述のダイヤル盤式の電子暗号錠入力装置において、上述のダイヤル盤の外周は円周形のスカートであり、上述の光電スイッチの位置は上述のダイヤル盤スカートと対応することにより、上述ダイヤル盤が押圧されると、上述スカートは光電スイッチの光を遮断することで、上述の光電スイッチが電気信号を発生する。
【００２３】
上述ダイヤル盤式電子暗号錠入力装置において、上述パネルの上下部は隆起の耳縁形状であり、上記パネルに、上記耳縁の裏側に設置され且つ指の形と一致するグルーブと、上述情報表示スクリーンの形やサイズと対応し、表示情報が有効的に見られるように、上述情報表示スクリーンとチルトを形成する表示窓と、上述パネルの表示窓側に設置され、応急鍵を挿入するためのガイド穴とが備えられる。
【００２４】
上記ダイヤル盤式電子暗号入力装置において、上述ダイヤル盤伝動軸が設けられる軸方向の内孔に、さらにリセットバネが備えられる。
もしくは上記電子暗号錠入力装置において、上記駆動歯車内端面に同心円平面歯溝が設けられ、平面歯溝と上記パネル対応位置にスチールボールとバネとが装置されるビア穴が設けられ、このスチールボールがバネに付勢されると、上記駆動歯車の同心円平面歯溝と接触し、対応する。
【００２５】
なお、上述電子暗号錠入力装置はさらにローラ式電子暗号錠入力装置でもよい。その内、信号装置はローラ装置であり、ローラと、ローラと同軸のエンコーダーと、上記ローラを支持するためのフレキシブルブラケットとからなる。計測制御装置はプログラマブルのマイクロコントローラであり、表示装置は情報表示スクリーンであり、スイッチング装置は上記ローラ軸引きに設置されるマイクロスイッチある。上記マイクロコントローラはそれぞれ上記エンコーダー、情報表示スクリーンとマイクロスイッチと電気接続される。
【００２６】
好ましくは上記ローラ式電子暗号錠入力装置において、情報表示スクリーンは上記ローラの回転方向や角度により、昇順か降順で繰り返しスクロールして、１桁か２桁の数字を表示する。ローラが押圧されると、マイクロスイッチは上記軸引きに駆動され、上記情報表示スクリーンのスクロールを中止し、現在表示される数字を暗号の一部として確認する。押圧がされないと、フレキシブルブラケットは上記ローラをリセットする。
【００２７】
本発明の第２の態様は中空の暗号錠取っ手であって、上記取っ手の中空のチャンバに固定される本発明のローラ式電子暗号錠入力装置と、上記ローラと対応し、ローラを回したり押圧したりできる取っ手表面に設置される第一窓口と、上記情報表示スクリーンと対応し、表示内容を確認するための取っ手表面に設置される第二窓口と、内部にリードを通すためのビア穴が設けられる取っ手内部に固定される回転軸とが備えられる。電子暗号錠入力装置はリードを介して、錠芯装置か門内ほかの位置に取り付けられる暗号錠暗号識別装置及び電源と接続される。
【００２８】
本発明はさらに他の中空暗号錠取っ手であって、取っ手とパネルと透明窓カバーを備える暗号錠取っ手を提供する。この取っ手はその中に固定される回転軸を備え、この回転軸内にリードを通すためのビア穴が設置されている。このパネルに本発明のローラ式電子暗号錠入力装置が設置され、そして上記ローラに対応し、このローラを回したり、押圧したりできる第一窓口と、上記情報表示スクリーンと対応し、表示内容を確認できる第二窓口とが設置されている。この透明窓カバーは上記第二窓口の配置される平面に設置される。取っ手の正表面にサイズと形状が上記パネルと合わせ、このパネルを中に埋めるためのくぼみエリアがある。この暗号錠取っ手はリードを介して、錠芯装置か門内ほかの位置に取り付けられる暗号錠暗号識別装置及び電源と接続される。
【００２９】
本発明はさらに取っ手本体と、取っ手ベースとパネルからなる暗号錠取っ手を提供する。取っ手ベースに上記ローラ式電子暗号錠入力装置のマイクロコントローラと情報表示スクリーンとが設置され、ベースの正面に、上記情報表示スクリーンと対応し、表示内容を確認するための第二窓口が設置されている。パネルに本発明のローラ式電子暗号錠入力装置のローラ装置が設置され、パネルの表面に、サイズと位置が上記ローラとあわせ、ローラを回したり、押圧したりできる第一窓口が設置されている。ただし、上記取っ手本体は中空であり、上記パネルを埋めるために、正表面にこのパネルのサイズと形状と合わせる中空チャンバが設置されている。上記ローラ式電子暗号錠入力装置はリードを介して、錠芯装置か門内ほかの位置に取り付けられる暗号錠暗号識別装置及び電源と接続される。
【００３０】
本発明の第三態様はケース外表面に固定されるケースやカバン用の暗号錠パネルを提供する。そのケースやカバン用の暗号錠パネルは、このパネルに取り付けられる本発明のケースやカバン用の暗号錠パネルと、上記パネル表面に設けられ、上記ローラのサイズと位置と合わせることにより、ローラを回したり、押圧したりできる第一窓口と、上記パネルの表面に設けられ、上記情報表示スクリーンのサイズと形状と合わせることにより、表示内容を確認する第二窓口とからなる。その内、上記電子暗号錠入力装置はリードを介して、ケース内の暗号錠暗号識別装置及び電源と接続される。
【００３１】
本発明の第四態様は電子暗号錠用の暗号入力方法であって、信号装置を介してダイヤル盤かローラ回転の情報を取得し、二組の電気パルス信号に転向する手順と、計測制御装置により上記二組の電気パルス信号を計測、判定と計算し、暗号組成要素シーケンスに転換する手順と、表示装置により、暗号要素を含めた文字列とプリセット情報を表示し、暗号要素を含めた文字列を表示するスクロールリフレッシュスピードレートは上記二組電気パルス信号周波数の関数であり、暗号要素シーケンスはダイヤル盤もしくはローラの回転方向により、昇順か降順でスクロールリフレッシュする手順と、現在入力された暗号要素を確認する時、確認装置により暗号要素が入力される確認信号を生成する手順と、計測制御装置により電気信号を検出して、現在入力される暗号要素を確認する手順と、計測制御装置により、すべての暗号要素が入力されたかをさらに判定する手順を備える。
【００３２】
好ましくは、上記暗号入力方法にさらに上記確認装置が信号を発生すると、所定の計時周期を開始させ、そして計測制御装置は計時周期は終了したかを判断し、計時周期が終了した場合、入力がタイムオフと判断する。
上記電子暗号錠入力装置と入力方法によれば、本発明の電子暗号錠入力装置の構成を簡単化でき、暗号入力信号は機械―電気または光―電気隔離により、操作部品と電気回路と電気接続がないため、信頼性と安全保護性も大幅に向上できる。また、暗号入力操作と暗号変更操作も簡単で直観である。
【００３３】
特に、本発明の電子暗号錠入力装置がダイヤル盤式である場合、上記利点はより顕著である。しかも、このダイヤル盤式電子暗号錠入力装置の構成が新奇で独特であり、暗号錠の開錠操作方式もより伝統操作習慣に合う。
本発明の電子暗号錠入力装置がローラ式である場合は、よりコンパクトの構成とより小さい体積を実現でき、多数の場合に適用できる。錠具の取っ手に適用される場合、取っ手機能と暗号入力機能及び暗号と情報の表示機能を一体にし、従来の電子暗号錠取っ手が体積が大きい欠点を解消できる。ケースや鞄の錠具に適用されると、暗号量が多いほか、暗号変更操作も簡単になり、操作快適性も機械ローラ式のケース鞄用暗号錠より優れる。
【発明を実施するための最良の形態】
【００３４】
添付図面と実施例を参照して、本発明をより詳しく説明する。図面の同一か相応の部品は同一符号を付して表示する。本発明の上記そのほかの目的、特徴と利点は下記の説明でさらに明らかになろう。詳細な実施例と結び合わせ、本発明の電子暗号錠入力装置、入力方法及びその応用について、更なる説明をする。
【００３５】
電子暗号錠入力装置  
図１は本発明第一実施例による電子暗号錠入力装置を示す図である。図に示されるように、この電子暗号錠入力装置は信号装置２、計測制御装置３、表示装置４と確認装置５からなる。
信号装置２はダイヤル盤と確実の機械伝動関係があり、且つダイヤル盤に従い回転する機電式回転エンコーダーを採用してもよい。エンコーダーに二つのコード信号出力端があり、時計方向に回転する時、一つ目の出力端が先に電気パルス信号１１を出力し、反時計方向に回転する時、二つ目の出力端が先に電気パルス信号１２を出力する。二組の電気パルス信号に含まれるパルス個数はエンコーダーローターが回転した角度に比例し、パルス信号の周波数はエンコーダーのローターの回転スピードレートに比例する。
【００３６】
計測制御装置３は単チップコンピュータ及び周辺電気回路からなり、内部ＲＡＭとＲＯＭが集積され、信号装置２が出力される電気パルス信号１１と１２を計測し、この電気パルス信号の順番を判定し、相応の演算を行い、この信号を暗号要素を含めた文字列に転換し、入力された現在の暗号要素を確認するかを判断し、さらに、すべての暗号要素の入力が終了するかを判断する単チップコンピュータを採用してもよい。ＲＯＭには制御プログラムとプリセットの数字情報を格納し、ＲＡＭにはテストデータ、表示データ及び他の中間データなどの数字情報を格納し、Ｅ２ＰＲＯＭは別途設置する必要があり、Ｅ２ＰＲＯＭにあらかじめ設定された開錠暗号、設置暗号と検証暗号を設置する。単チップコンピュータにいくつかのＩ／ＯポートＰ２〜Ｐ６があり、そのうち、計測制御装置３はポートＰ２とＰ３により、信号装置２で転換された二組の電気パルス信号１１と１２を受信し、ポートＰ６は確認装置５に接続され、ポートＰ４は表示装置４に接続され、ポートＰ５は選択的に電子暗号錠の執行装置７に接続される。
【００３７】
図１に示されるように、本発明の技術効果をよりよく実現するために、本実施例の確認装置５はスイッチング装置であり、スイッチング装置５の閉鎖はダイヤル盤軸方向の移動に左右され、ダイヤル盤が押圧されていない場合、スイッチング装置は遮断状態であり、ダイヤル盤が押圧されると、スイッチング装置５が閉鎖し、この閉鎖動作はスイッチング装置５の両端で電気信号１３を発生し、この信号は計測制御装置３のＩ／ＯポートＰ６を入力暗号のひとつの要素が入力された確認信号として導入する。
【００３８】
なお、図１の電子暗号錠入力装置において、スイッチング装置５が信号を生成し、所定時間周期を開始させるたびに、計測制御装置３は当時間周期が終了するかを判断し、時間周期が終了した場合は、入力がタイムオフと判断する。
表示装置４は計測制御装置３の駆動でスクロールリフレッシュの方式で上記文字列とプリセットの提示情報を表示する。そのうち、プリセット情報は符号で表示し、図６のように、錠形の符号は施錠開錠状態を示し、時計符号は定時開錠か遅延開錠を示し、鍵符号は暗号設定状態を示し、電池符号はローバッテリーを示し、その他のドット符号は各部分の暗号の順番確認状態を示す。
【００３９】
図２を参照して、本発明の電子暗号錠入力装置の動作原理とフローを説明する。ＲＯＭに格納されたプログラムで実現できる。
図２に示されるように、ステップＳ２１において、信号装置２はダイヤル盤の回転に従い回転し、電気パルス信号１１と１２を発生し、この二組の信号は計測制御装置３のＩ／ＯポートＰ２とＰ３を導入し、ダイヤル盤の回転方向にかかわらず、計測制御装置３を低消費モードから起こし、稼動状態にさせ、さらに表示装置４をオンにする。その後、計測制御装置３のＩ／ＯポートＰ２とＰ３は第一組の電気パルス信号１１と第二組の電気パルス信号１２を受信し始め、計測制御装置３はプログラムの制御で計時周期に入り、計時プログラムはゼロから計時する。同時に、電子暗号錠全体の入力フローはステップＳ２２に入る。
【００４０】
図に示されるように、ステップＳ２２において、計測制御装置３が受信された電気パルス信号１１と電気パルス信号１２を計測する。次いで、ステップＳ２３において、計測制御装置３は電気パルス信号１１と１２の前後順番を判断する。電気パルス信号１１が先である場合、現在計測されたパルス数の変化量を前計測されたパルス数の累積に加算し、電気信号１２が先である場合、現在計測されたパルス数の変化量と前計測されたパルス数の累積と減算する。次いで、ステップＳ２４とＳ２５において、計測制御装置３は上記演算結果をデータ処理してから、Ｉ／ＯポートＰ４により表示装置４を１０進数で数字を表示するように駆動し、計測された電気信号パルス周波数で比例関係により、上記演算結果の表示リフレッシュスピードレートを調整し、ステップＳ２６に入る。
【００４１】
ステップＳ２６において、計測制御装置３はまずＩ／ＯポートＰ６に信号が入力されたかを検出し、スイッチング装置５が入力したレベル信号１３を検出できない場合は、計測制御装置はステップＳ２７において、タイムオフ計時プログラムがカウントした時間が経ったかを検出する。タイムオフ計時プログラムがカウントした時間はまだ経っていない場合はステップＳ２２に入る。タイムオフ計時プログラムがカウントした時間が経った場合、ステップＳ３２に入り、タイムオフアラーム信号を発信し、表示装置４によりタイムオフ情報を表示する。計測制御装置３がスイッチング装置５により出力されるレベル信号１３を検出できる場合、現在表示装置４により表示される暗号要素を確認し、ＲＡＭに格納してから、Ｉ／ＯポートＰ４により表示装置４を駆動し、暗号受信確認情報を表示し、ステップＳ２８に入り、新しい計時周期に入る。
【００４２】
ステップＳ２９において、計測制御装置３は受信確認された暗号要素についてカウントし、カウント結果をあらかじめ設定された数と比較する。カウント結果が設定数より小さい場合はステップＳ３０に入る。ステップＳ３０において、計測制御装置３が現在表示される数字を暗号要素としてＲＡＭに格納し、次のステップＳ３１において、表示装置４を駆動し、暗号入力確認情報を表示し、ステップＳ２２に戻る。カウント結果が設定数にイコールである場合、一組安全な暗号がすべて受信したと確認し、ステップＳ３３に進行する。ステップＳ３３において、計測制御装置３が入力、確認されたいくつかの暗号要素についてスティッチ操作を行ってから、ＲＡＭに格納し、Ｉ／ＯポートＰ４により表示装置４を駆動し、暗号受信終了情報を表示する。このとき、電子暗号錠の入力作業は全部終了し、必要に応じてステップＳ３４から電子暗号錠のほかの作業に入ってもよい。
【００４３】
たとえば、暗号設置は上記暗号入力の方法と手順により、まずあらかじめ設置された暗号を入力し、本発明の電子暗号錠入力装置を暗号設置状態にし、そしてこの状態で新しい開錠暗号を入力し、古い暗号を取り替え、それからは新しい暗号で開錠することになる。詳細的には図２を参照する。ステップＳ３４において、Ｅ２ＰＲＯＭから予め設定された開錠暗号と設置暗号を読み取り、入力された暗号と比較する。そしてステップＳ３５において、入力された暗号は開錠暗号と一致するかを判断する。一致であれば、ステップＳ３６に入り、執行装置７に開錠コマンドを出し、それからステップＳ３７で執行装置７により閉鎖装置を開く。ステップＳ３５で一致しないと判断する場合はステップＳ３８に入り、入力暗号がプリセットの暗号と一致するかを判断する。一致する場合は暗号設置作業に入り、一致しない場合はステップＳ３９で表示装置４により暗号エラー情報を表示する。
【００４４】
ダイヤル盤式電子暗号錠入力装置  
発明の第２の好ましい実施例に示されるように、本発明の電子暗号錠入力装置は必要に応じて、特別にダイヤル盤式に製造してもよい。図３に示されるように、ダイヤル盤式電子暗号錠入力装置に製造されると、信号装置２はパネル１１１と、パネル１１１に取り付けられた自在回転できるダイヤル盤１０１と、ダイヤル盤１０１の中心に固定される伝動軸１０２と、伝動軸１０２に当てはめられる駆動歯車１０３と、駆動歯車１０３と噛み合う被駆動歯車１１５と、被駆動歯車１１５と同軸接続される回転エンコーダー１０８とを備え、計測制御装置３はプログラマブルのマイクロコントローラ（以下はＭＣＵと略称）１０６であり、表示装置４は情報表示スクリーン１１０であり、スイッチング装置５は光電スイッチ７である。
【００４５】
上図において、ＭＣＵ１０６、エンコーダー１０８、情報表示スクリーン１１０と光電スイッチ１０７は同一の配線板１０９に配置され、配線板１０９はパネル１１１に設置される。エンコーダー１０８は機電式回転エンコーダーを採用してもよい。光電スイッチ１０７は赤外線光電スイッチを利用し、送信管と受信管とからなる。マイクロコントローラはＲＯＭとＲＡＭ及び幾つかＩ／Ｏポートを付いた単チップマイコンを採用し、ＲＯＭに制御プログラムが実装されている。ＭＣＵのＩ／Ｏポートはそれぞれエンコーダー１０８、光電スイッチ１０７及び情報表示スクリーン１１０と接続され、そのうちのひとつのＩ／Ｏポートは暗号錠の暗号識別装置と接続され、データ通信に用いられる。
【００４６】
ダイヤル盤１０１、伝動軸１０２、駆動歯車１０３、被駆動歯車１１５とエンコーダー１０８のロータは簡単な伝動システムを構成する。詳細的には、伝動軸１０２の断面は正多辺形であり、その一方はダイヤル盤１０１の中心に固定され、駆動歯車１０３に伝動軸１０２の他方が挿入されるための正多辺形の内孔が設けられている。駆動歯車１０３の一方の円柱面はパネル１１１の対応の内孔の動作と対応する。被駆動歯車１０７は駆動歯車１１５と噛み合い、被駆動歯車１１５の二つの円柱面はそれぞれ歯車の圧迫板１１７の内孔とパネル１１１のもう一つの内孔の動作と対応し、歯車圧迫板１１７はパネル１１１の二つの支承柱に設けられ、被駆動歯車１１５の軸引きの断面は正多辺形であり、この軸引きはエンコーダー１０８のロータの伝動軸として、エンコーダー１０８のロータの正多辺形の内孔に取り付けられる。この伝動システムにおいて、パネル１１１、歯車圧迫板１１７などは支持と位置決めの役割を果たす。
【００４７】
ダイヤル盤１０１と伝動軸１０２は軸方向に２〜４ｍｍ変位可能であり、伝動軸１０２の非固定側に軸方向の内孔１２２が開き、孔にリセットバネ１０４が設けられている。パネル１１１に光電スイッチ１０７の発信管と受信管と対応し、二つの孔溝１１８が開けてある。
【００４８】
図５は本発明第二実施例におけるダイヤル盤の構成を示す図である。図に示されるように、ダイヤル盤１０１の内辺に配線板１０９の光電スイッチ１０７の発信管と受信管の間に対応する円周形のスカート１２３がある。ダイヤル盤１０１が押圧されると、スカート１２３は光電スイッチ１０７の光信号を遮断し、光電スイッチが出力した電気信号が変化し、ＭＣＵ１０６に渡される。ＭＣＵ１０６がこの信号の変化を検出すると、現在表示される数字を暗号の一部として確認し、保存する。ダイヤル盤１０１を押圧する外力が撤回されると、リセットバネ１０４のリセット作用で、ダイヤル盤１０１と伝動軸１０２はリセットされる。
【００４９】
駆動歯車１０３の形状は図４に示されるように、内端面の同心円歯溝１２１はスチールボール１１４、バネ１１３とパネル１１１の対応のビア孔と、簡単な構成を成す。スチールボール１１４はバネ１１３の圧力作用で、駆動歯車１０３の同心円平面歯溝１２１と接触し配合することにより、ダイヤル盤１０１の回転中、表示数字の動的変化に従い、数字表示のリフレッシュと同期の手応えを感じさせる。
【００５０】
図６に示されるように、情報表示スクリーン１１０に提示情報を表示するための八段デジタル管を一つと、数字を表示するための七段デジタル管を二つ備え、そのうち、錠形の符号は施錠開錠状態を示し、時計符号は定時開錠か遅延開錠を示し、鍵符号は暗号設定状態を示し、電池符号はローバッテリーを示し、その他のドット符号は各部分の暗号の順番確認状態を示す。
【００５１】
情報表示スクリーン１１０の表示面はテープ面であり、そのチルトにより、操作時利用者の視線は情報表示スクリーン１１０の表示面と垂直に近いので、人間工学の原理と一致する。それに対応して、パネルの表示窓の平面も同じ角度のテープ面である。透明窓カバー１１６は上記パネルの表示窓の平面に嵌合されている。
【００５２】
パネル１１１の上部と下部はそれぞれが隆起した耳状の縁１０５であり、取っ手として機能し、簡単に扉を開くために、耳状縁１０５の内面（裏側）に形が指と一致したグルーブが設置されている。また、パネル表示窓口面側に異性ガイド孔１１２が設置され、機械緊急鍵の挿入に用いられる。
【００５３】
組み付ける時、配線版１０９をパネル１１１の他方側に固定し、駆動歯車１０３の円柱面をパネル対応の内孔に取り付け、駆動歯車１０３と噛み合う被駆動歯車１１５の一方の円柱面をパネル１１１の対応の内孔に取り付け、軸引きをエンコーダー１０８のロータの内孔に挿入し、歯車圧迫板１１７の中孔は被駆動歯車１１５の他方の円柱面に対応し、歯車圧迫板１１７はパネル１１１の二の支持柱により係止され、スチールボール１１４、バネ１１３をパネル１１１の対応の孔に取り付け、伝動軸１０２を駆動歯車１０３の多辺形内孔に挿入し、その軸方向内孔のリセッバネ１０４の他方は金庫のパネルにより位置を限定し、ダイヤル盤１０１内縁の円周形スカートはパネル１１１の二つの孔溝を介して、香典スイッチ１０７の発信管と受信管に対応する。
【００５４】
以下は本実施例のダイヤル盤式電子暗号錠入力装置の具体的な応用について説明する。開錠するには、ダイヤル盤１０１を回し、表示される二桁数字があらかじめ設定された開錠暗号の第一部分と一致する時、回しを停止し、軸方向にダイヤル盤１０１を押下することで、情報表示スクリーン１１０の半円周をする最下端の円形符号が点灯し、暗号の第一部分が入力されたことを確認し、同じ方法で、暗号のほかの部分を入力し、暗号の各一部の入力が確認される途中で、情報表示スクリーン１１０に半円周に分布される円形符号は順番に点灯され、暗号の最後の一部が入力されると、ＭＣＵ１０６は入力されたフルな暗号を暗号錠の暗号識別装置に転送され、暗号識別装置は受信された暗号を識別と判断し、暗号判断結果が正しいである場合は、暗号識別装置は電動駆動装置を開錠させるように制御し、開錠信号をＭＣＵ１０６に転送し、ＭＣＵ１０６は開錠信号を受信すると、情報表示スクリーン１１０における錠形の符号が点灯する。
【００５５】
再び開錠暗号を設置する必要がある場合、まず上記暗号入力と確認手順で設置暗号を入力し、入力された設置暗号が正しいと判断されると、鍵符号が点灯し、暗号設置状態に入り、新しい開錠暗号を入力できる。
暗号錠電源電圧がＭＣＵ１０６により所定値より低いと判断されるとき、電池符号が点灯し、電池交換を知らせる。
【００５６】
ローラ式電子暗号錠入力装置  
発明の第三好ましい実施例に示されるように、本発明の電子暗号錠入力装置は必要に応じて、特別にローラ式に製造してもよい。図７に示されるように、ローラ式電子暗号錠入力装置を制作する時、信号装置２はローラ装置２０１（図７の破線に囲まれる部分）であり、ローラ２０２と、ローラ２０２と同軸のエンコーダー２１２と、ローラ２０２を支持するためのフレキシブル  ブラケット２０４とを備え、計測制御装置３はプログラマブルマイクロコントローラ２０８であり、表示装置４は情報表示スクリーン２０９であり、スイッチング装置５はローラ２０２軸引きの下に設置されるマクロスイッチ２０６である。マイクロコントローラ２０８はそれぞれエンコーダー、情報表示スクリーン２０９とマイクロスイッチ２０６と電気接続される。
【００５７】
回転エンコーダーは光電回転輪２０３と、光電回転輪両側に設けられた発光ダイオードとフォトトランジスタ２０７からなる光電エンコーダー部品を採用してもよい。
マイクロコントローラ２０８は単チップコンピュータＭＣＵ、メモリＲＡＭと周辺回路から構成される。ＭＣＵに制御プログラムが実装されてあり、ＭＣＵのいくつかのＩ／Ｏはそれぞれローラ装置２０１と情報表示スクリーン２０９と電気接続され、その内、もう一つのＩ／Ｏは暗号錠の暗号識別装置と電気接続し、データ通信を行う。
【００５８】
又、配線板２１１にプラグイン２１０を設置し、ＭＣＵがこのプラグイン２１０を介して暗号錠暗号識別装置及び電源と接続される。
ローラ装置２０１、マイクロコントローラ２０８、情報表示スクリーン２０９とマイクロスイッチ２０６は図に示されるように、同一の配線板２１１に取り付けてもよい。図８に示されるように、異なる取り付け条件に対応するように、情報表示スクリーン２０９をマイクロコントローラ２０８と同一の配線板２１４に取り付け、ローラ装置２０１とマイクロスイッチ２０６をもう一枚の配線板２１７に取り付けてもよい。配線板２１４にも、図７に示されるように、プラグイン２１０を設置し、同時に、配線板２１７にもプラグイン２１５と２１６を設置し、プラグイン２１５と２１６の間はリード２１３により接続される。業者はこの二種類の取り付け形式の技術効果が同じであることをわかるはずである。
【００５９】
図７に戻し、ローラ装置２０１において、ローラ２０２の回転方向と回転角度は光電回転輪２０３と発光ダイオード及びフォトトランジスタ２０７により電気パルス信号に転換され、この信号はマイクロコントローラ２０８のＭＣＵのＩ／Ｏポートを導入し、ＭＣＵプログラムの処理を経てから、情報表示スクリーン２０９をスクロール方式で数字０〜９を表示するように制御する。ローラ装置２０１を押圧する時、その軸引きの下に設置されたマイクロスイッチ２０６を駆動し、マイクロスイッチ２０６が駆動されると発生した電気信号は暗号要素入力確認信号として、ＭＣＵのもう一つのＩ／Ｏポートを導入し、ＭＣＵプログラムにより判定してから、マイクロコントローラ２０８は情報表示スクリーン２０９をスクロール停止するように制御し、現在表示される数字を暗号の一部として確認する。
【００６０】
本実施例のローラ式電子暗号錠入力装置において、情報表示スクリーン２０９は誂えられたデジタル管もしくは液晶表示スクリーンを採用してもよい。図７に示されるように、その表示内容と機能は第二実施例のダイヤル盤式暗号錠入力装置と同じで、数字を表示する桁数と図形の配列とレイアウトだけが異なる。
【００６１】
図９と図１０はそれぞれフレキシブル２０４が二つの状態での拡大断面図である。この二つのフレキシブルブラケット２０４の構成はほぼ同じである。
図９に示されるように、フレキシブル２０４はベース２２５と、リセットバネ２２７と、Ｙ字形ブラケットからなり、その内、Ｙ字形ブラケット２２０のトップに軸と合わせる円形軸溝２２１が設置され、軸溝２２１の開口２２２のサイズは軸径により少し小さく、軸を取り付ける時は開口に詰め込まれ、開口がやや大きくなるので、軸を取り付けてから径方向の変位が開口に制限されるが、自在に回転できる一方、ローラ２０２の軸方向変位を制限するために、ローラ２０２の両側に軸溝に合わせる肩部が設けられている。ベース２２５は配線板２１１に固定され、リセットバネ２２７とＹ字形ブラケット２２０はベース２２５に取り付けられ、Ｙ字形ブラケット２２０のベース２２５と合わせる柱面の下側にフック２２４が取り付けられ、ベース２２５のＹ字形ブラケット２２０と合わせる孔に、Ｙ字形ブラケット２２０とフック２２４をスムーズに通させるためのスライド溝２２６と、スライド溝２２６と９０度をなす二つのグルーブ２２８（図１０を参照）が開かれる。
【００６２】
図１０に示されるように、Ｙ字形ブラケットとそのフック２２４はスライド溝２２６に沿い、ベース孔に挿入し、行き切るとＹ字形ブラケット２２０を９０度回転し、フック２２４を、グルーブ２２８と合わせ、リセットバネ２２７の作用で、フック２２４は上へと変位し、グルーブ２２８に嵌合される。このように、Ｙ字形ブラケット２２０を固定する。
【００６３】
ローラ２０２が押圧されると、Ｙ字形ブラケット２２０はグルーブ２２８に沿い、下へと１〜２ｍｍ変位し、ローラ２０２の一方の軸引き２０５はその下に設置されたマイクロコントローラスイッチ２０６を駆動できる。押圧が停止すると、リセットバネ２２７はＹ字形ブラケット２２０を元の位置に戻す。
【００６４】
なお、ローラ２０２の回転途中で爪車として機能するために、二つの方法がある。一つは、ローラ２０２の一つの端面を波紋状に形成し、ローラ２０２波紋端面に接近するベース２２５に爪車式のバネ（図示では省略）を取り付け、このバネの一端はベース２２５に設置されたグルーブと孔により固定され、他端は円形に曲げられ、ローラ２０２の波紋状端面と可撓的に接触することにより、ローラ２０２が回転中に爪車の手応えがするようになる。もう一つは、Ｙ字形ブラケット２２０にビア孔（図示には省略）を設け、バネとスチールボールを設置し、Ｙ字形ブラケット２２０と合わせるローラ軸の一段表面を歯状に形成し、スチールボールがバネの施勢で、この歯と接触することによりも、ローラ２０２が回転中に爪車の手応えがする。
【００６５】
好ましくは、配線板２１１に情報表示スクリーン２０９と合わせて、提示情報を発生するブザーを取り付けてもよい。
以下は上記ローラ暗号錠部品の使用について説明する。開錠するとき、ローラ２０２をまわし、情報表示スクリーン２０９はローラ２０２の回転に従い、数字０〜９をスクロールして表示し、数字のスクロール順（昇順か降順）はローラの回転方向（時計方向と反時計方向）と対応する。表示される現在の一桁の数字があらかじめ設定された開錠暗号の第一要素と一致するとき、回しを停止し、軸方向にローラ２０２を押圧する。この時、情報表示スクリーン２０９の一番目の円形符号が点灯し、暗号の１桁目の入力が確認されたことを示す。同じように、暗号の残りの桁を入力し、暗号のそれぞれの桁の入力が確認される過程で、情報表示スクリーン２０９の円形符号は順番に点灯する。
【００６６】
暗号の最後の桁が入力されると、入力された暗号はすべて正しい場合、錠形の符号が点灯し、開錠したことを示す。
入力された暗号に一致しない部分がある場合、情報表示スクリーン２０９とブザー（取り付けられた場合）は提示情報を出し、プログラムはエラー処理に入る。
【００６７】
定時開錠もしくは遅延開錠機能を起用するには、所定の暗号を入力することにより、定時か遅延設置状態に入り、時間を入力してから当該機能は起用される。
再び開錠暗号を設置する必要がある場合、まず上記暗号入力と確認手順で設置暗号を入力し、入力された設置暗号が正しいと判断されると、鍵符号が点灯し、暗号設置状態に入り、新しい開錠暗号を入力できる。
【００６８】
暗号錠電源電圧所定値より低いとき、電池符号が点灯し、電池交換を知らせる。
暗号錠取っ手  
上記ローラ式電子暗号錠入力装置を門錠の取っ手に応用されることにより、新型の暗号錠取っ手となる。図１１はこのような暗号錠取っ手の外部構成を示す図である。
【００６９】
図に示されるように、その取っ手本体３０１は中空であり、この中空チャンバに上記ローラ式電子暗号錠入力装置が取り付けられている。このローラ式電子暗号錠入力装置は図７に示される形式を採用し、ローラ装置２０１、マイクロコントローラ２０８、情報表示スクリーン２０９とマイクロスイッチ２０６をいずれも同一の配線板２１１に取りつけ、ねじを配線板２１１を取っ手の中空チャンバに固定してもよい。取っ手の正表面にローラ２０２に対応し、このローラを回したり、押圧したりできる第一窓口３０２が設けられている。同様に、この取っ手正表面に、情報表示スクリーン２０９に対応し、便利で、見やすく情報表示スクリーン２０９に表示される内容を読める第二窓口３０３が設けられている。
【００７０】
上記暗号錠取っ手の内部構成をより詳しく説明するために、図１２と図１３に図１１の暗号錠取っ手の断面構成を示している。
図１２に示されるように、暗号錠取っ手にさらに、取っ手本体３０１に固定される回転軸３０４が取り付けられている。図１３から、回転軸３０４にリードを通すためのビア穴３０５が設けられることがわかる。取り付けられたローラ式電子暗号錠入力装置はプラグイン２１０とリード２１８を介して、錠芯装置か門内ほかの位置に取り付けられる暗号錠暗号識別装置及び電源と接続される。
【００７１】
図１４は他の暗号錠取っ手の外部構成を示す図である。取っ手４０１、パネル４０２と透明窓カバー４０３からなる。図１５にこの暗号錠取っ手の断面構成を示されている。図から、取っ手本体４０１にくぼみエリア４０５があり、そのサイズと形状はパネル４０２とあわせるので、ちょうどパネル４０２を埋め込み、パネル４０２の外表面が取っ手本体４０１の外表面とスムーズに合わせる。パネル４０２と取っ手本体４０１は周知の係止構成で固定してもよい。図からわかるように、ローラ式電子暗号錠入力装置は図８の形式を採用し、配線板が二枚使用されていても、配線板２１４にマイクロコントローラ２０８と情報表示スクリーン２０９を取りつけ、配線板２１７にローラ装置２０１とマイクロスイッチ２０６を取りつけ、両配線板の間はプラグイン２１５と２１６及びリード２１３により接続される。配線板２１４と２１７はパネル４０２に取りつけられ、固定方法は周知の係止構成、もしくは螺子構成を採用してもよい。パネル４０２にサイズと位置がローラ２０２と合わせる第一窓口が設置されるので、ローラ２０２の一部が露出し、指で回したり、押圧したりする操作は簡単になる。似ているように、パネル４０２にサイズと位置が情報表示スクリーン２０９と合わせる第二窓口が設置されるので、情報表示スクリーン２０９に表示される内容を便利で見やすく読むことができる。操作中に表示される暗号と情報を読むために、透明窓カバー４０３は第二窓口の所在の平面に嵌合されている。取っ手本体４０１はさらにその中に固定される回転軸４０４を備え、回転軸４０４にリード２１５を通すためのビア穴が設置され、ローラ式電子暗号錠入力装置と門に取り付けられる暗号錠暗号識別装置及び電源とを接続する。
【００７２】
図１６にさらに取っ手本体５０１、取っ手ベース５０２とパネル５０４とからなる暗号錠取っ手を示す。その内部構成を示す図１５を参照して、ローラ式電子暗号錠入力装置は図８の形式を採用し、配線板二枚で構成し、情報表示スクリーン２０９とマイクロコントローラ２０８が取り付けられた配線板２１４はベース５０２に固定され、ローラ装置２０１とマイクロスイッチ２０６が取り付けられた配線板２１７はパネル５０４に固定され、両配線板はプラグイン２１５と２１６を介してリード２１３と接続される。ベース５０２は円柱形のカバーであり、正面に情報表示スクリーン２０９の表示内容を見るための第二窓口５０５が設けられている。パネル５０４の表面にサイズと位置がローラ２０２と合わせる第一窓口が設置されるので、ローラ２０２の一部が露出し、指で回したり、押圧したりする操作は簡単になる。取っ手本体５０１は中空であり、正面にパネル５０４の形と合わせる中空チャンバが設けられ、パネル５０４は中空チャンバの内縁に設けられている。取っ手本体５０１はさらに回転軸５０６を備え、回転軸５０６にリード２１８を通すためのビア穴５０７と５０８が設置され、ローラ式電子暗号錠入力装置と門に取り付けられる暗号錠暗号識別装置及び電源とを接続する。
【００７３】
上記三種類の暗号錠取っ手の回転軸は暗号錠の錠芯装置かクラッチ装置と結合することにより、錠芯装置かクラッチ装置は暗号錠の電動執行装置により駆動され、電動執行装置は暗号錠暗号識別措置により制御され、暗号錠暗号識別装置はローラ式電子暗号錠入力装置と電気接続され、データ通信を行う。正しい開錠暗号が入力される前、錠芯装置かクラッチ装置は暗号錠取っ手（取っ手と略称）と分離し、取っ手を回すことができなく、それと連動の錠芯は伸ばした状態である。本発明による電子暗号錠の入力方法で正しい開錠暗号を入力すると、暗号識別装置が電動執行装置の動作を制御し、錠芯装置またはクラッチ装置は取っ手と結合し、この時、取っ手を下へと９０度以下の角度を回すと、錠芯は錠本体に縮み、開錠される。
【００７４】
ケースや鞄用暗号錠パネル  
上記ローラ式電子暗号錠入力装置をケースや鞄錠に応用されることにより、新型のケースや鞄用暗号錠パネルとなる。図１８にこのようなケースや鞄用暗号錠パネルをケース本体に応用する外部構成を示し、ケースや鞄用暗号錠パネル６０３はケース本体６０１に固定され、６０２はケースカバーである。
【００７５】
図１９からわかるように、ローラ式電子暗号錠入力装置は図７に示される形式を採用し、ローラ装置２０１、マイクロコントローラ２０８、情報表示スクリーン２０９とマイクロスイッチ２０６をいずれも同一の配線板２１１に取りつけ、ねじまたは係止構成により、配線板２１１をパネル６０３に固定する。パネル６０３はシェル状であり、形状とサイズが情報表示スクリーン２０９と合わせ、矩形の第二窓口６０６が開かれる。利用者が表示される暗号と情報を確認するように、窓口６０６に透明窓カバー６０７が設けられている。パネル６０３にさらに位置とサイズがローラ２０２と合わせる第一窓口が設置されるので、ローラ２０２の一部が露出し、指で回したり、押圧したりする操作は簡単になる。パネル６０３とケース本体６０１はリベット６０４で固定でき、業者が周知のほかの固定方式を使用してもよい。ローラ式電子暗号錠入力装置はリード２１８を介して、ケース内の暗号識別装置及び電源と接続される。電動執行装置はケースや鞄錠の機械施錠装置と連動し、正しい開錠暗号を入力すると、暗号識別装置は執行装置を制御し、施錠装置を開錠し、ケースカバー６０２を開ける。
【００７６】
上記実施例は本発明の電子暗号錠入力装置、入力方法及びその応用について詳しく説明しましたが、この発明の要旨を逸脱しない範囲で、形式と詳細について、明らかの変更等もこの発明に含まれることは当業者はわかるべきである。したがって、以上説明した実施例は説明的であり、制限的ではない。本発明の要旨を逸脱しない範囲で、すべての変更と修正も本発明により保護される。
【図面の簡単な説明】
【００７７】
【図１】本発明第一実施例の構成フレーム図である。
【図２】本発明第一実施例のフローチャートである。
【図３】本発明第二実施例の構成を示す図である。
【図４】本発明第二実施例における駆動歯車の構成を示す図である。
【図５】本発明第二実施例におけるダイヤル盤の構成を示す図である。
【図６】本発明第二実施例における情報表示スクリーンを示す平面図である。
【図７】本発明第三実施例の構成を示す図である。
【図８】本発明第三実施例の他の代われる構成形式を示す図である。
【図９】本発明第三実施例におけるフレキシブルブラケットの断面構成を示す断面拡大図である。
【図１０】本発明第三実施例におけるフレキシブルブラケットが他の状態での断面構成を示す図である。
【図１１】本発明による暗号錠取っ手の外部構成を示す図である。
【図１２】図１１に示される暗号錠取っ手の内部構成を示し、取っ手本体に固定される回転軸が取り付けられている状態を示す図である。
【図１３】図１１に示される暗号錠取っ手の内部構成を示し、回転軸にリードを通すためのビア穴が設けられている状態を示す図である。
【図１４】本発明による他の暗号錠取っ手の外部構成を示す図である。
【図１５】図１４に示される暗号錠取っ手の内部構成を示す図である。
【図１６】本発明によるさらに他の暗号錠取っ手の外部構成を示す図である。
【図１７】図１６に示される暗号錠取っ手の内部構成を示す図である。
【図１８】本発明によるケースや鞄錠パネルの外部構成を示す図である。
【図１９】図１８に示されるケースや鞄錠パネルの内部構成を示す図である。
【符号の説明】
【００７８】
２…信号装置、３…計測制御装置、４…表示装置、５…確認装置、１１…電気パルス信号、１２…電気パルス信号。
【図１】
2007508473.tif 000003
【図２】
2007508473.tif 000004
【図３】
2007508473.tif 000005
【図４】
2007508473.tif 000006
【図５】
2007508473.tif 000007
【図６】
2007508473.tif 000008
【図７】
2007508473.tif 000009
【図８】
2007508473.tif 000010
【図９】
2007508473.tif 000011
【図１０】
2007508473.tif 000012
【図１１】
2007508473.tif 000013
【図１２】
2007508473.tif 000014
【図１３】
2007508473.tif 000015
【図１４】
2007508473.tif 000016
【図１５】
2007508473.tif 000017
【図１６】
2007508473.tif 000018
【図１７】
2007508473.tif 000019
【図１８】
2007508473.tif 000020
【図１９】
2007508473.tif 000021
【手続補正書】
【提出日】平成18年7月12日(2006.7.12)
【手続補正１】
【補正対象書類名】図面
【補正対象項目名】図１４
【補正方法】変更
【補正の内容】
【図１４】
2007508473.tif 000022
【国際調査報告】
2007508473.tif 000023
2007508473.tif 000024
2007508473.tif 000025
2007508473.tif 000026